(57)【要約】      （修正有）【課題】和洋どちらの室内空間にもなじみ、太陽光の直接侵入を緩和し、断熱性も向上させうる、デザイン性の高い障子を提供する。【解決手段】デザイン障子は、略等間隔に平行に配された細長い短冊体が短手に二枚のパネル体を離間させるように介在し、断面において台形ないし平行四辺形が連接するようにパネル体から見て短冊体を斜めに傾けて構成した、合成樹脂製の中空ボードを、障子の組子により形成される四角形その他の多角形に個々にはめ込み固定し、中空ボードをはめ込まない部分は障子紙を貼ったことを特徴とする。【選択図】図４
0003223848.tif 000002
【実用新案登録請求の範囲】
【請求項１】
略等間隔に平行に配された細長い短冊体が短手に二枚のパネル体を離間させるように介在し、断面において台形ないし平行四辺形が連接するようにパネル体から見て短冊体を斜めに傾けて構成した、合成樹脂製の中空ボードを、
障子の組子により形成される四角形その他の多角形に個々にはめ込み固定し、
中空ボードをはめ込まない部分は障子紙を貼ったことを特徴とするデザイン障子。
【請求項２】
組子には溝が切ってあり、この溝に中空ボードをはめて固定することを特徴とする請求項１に記載のデザイン障子。
【請求項３】
中空ボードをはめる領域により、円形、多角形その他の図形、市松模様その他の幾何学模様、文字、または、記号が形成されることを特徴とする請求項１または２に記載のデザイン障子
【請求項４】
中空ボードをはめる場所により、短冊体長手方向の向きを変えたことを特徴とする請求項１、２または３に記載のデザイン障子。
【請求項５】
パネル体は無色透明ないし有色透明であり、短冊体は白色ないし有色であることを特徴とする請求項１〜４のいずれか一つに記載の減光断熱障子。
【請求項６】
合成樹脂はポリカーボネート樹脂、アクリル樹脂、ポリエチレン、ポリプロピレン、ポリ塩化ビニル、または、ポリエステルであることを特徴とする請求項１〜５のいずれか一つに記載のデザイン障子。
【考案の詳細な説明】
【技術分野】
【０００１】
本考案は、和風建築にも洋風建築にもなじむデザイン性の高い障子であり、遮光性や断熱性も高いデザイン障子に関する。
【背景技術】
【０００２】
近年、マンションや新築家屋では機密性高く、効率的に冷暖房ができる部屋作りがなされている。また、マンションでも洋風家屋でも、障子のある和室の需要も依然ある。この結果、障子紙にかえてプラスチック板を貼り付けた障子や、さらには、木枠をサッシュや合成樹脂にかえ、塗装により見た目を木枠に見せる障子も登場している。
【０００３】
しかしながら、障子紙を単に乳白色のプラスチック板にした障子は、いかにも安っぽく和室にも洋室にも似合わないという問題点があった。
一方、木枠をサッシュや合成樹脂製にしたものは機密性を高めることを主目的とし副次的に断熱性等もたかまるものの、面積的には障子紙部分が大きいため、その効果は限定的であるという問題点があった。
【０００４】
なお、本出願人による遮光断熱障子（文献３）によれば、和洋折衷デザインであって和室になじみ、太陽光の直接侵入を緩和し、断熱性を向上させた障子を提供することができる。
【先行技術文献】
【特許文献】
【０００５】
【特許文献１】特開２００２−２１４３１
【特許文献２】特開２００４−１１４６５３
【特許文献３】登録実用新案３２１９４０７
【考案の概要】
【考案が解決しようとする課題】
【０００６】
本考案は、上記に鑑みてなされたものであって、和洋どちらの室内空間にもなじみ、太陽光の直接侵入を緩和し、断熱性も向上させうる、デザイン性の高い障子を提供することを目的とする。
【課題を解決するための手段】
【０００７】
請求項１に記載のデザイン障子は、略等間隔に平行に配された細長い短冊体が短手に二枚のパネル体を離間させるように介在し、断面において台形ないし平行四辺形が連接するようにパネル体から見て短冊体を斜めに傾けて構成した、合成樹脂製の中空ボードを、障子の組子により形成される四角形その他の多角形に個々にはめ込み固定し、中空ボードをはめ込まない部分は障子紙を貼ったことを特徴とする。
【０００８】
すなわち、請求項１にかかる考案は、障子の組子はそのままに、ブラインド様構造を有するパネル自体によるデザイン性と、その配置によるデザイン性とが相まって、意匠性の高い障子を提供することが可能となる。また、ブラインド様構造を有するパネルにより直射日光の進入を反射し断熱性も高める（中空ボード自体にも空気層があるので、この点からも断熱性が高まる）。
中空ボードは障子紙と異なり所定の厚みがあるが、組子により形成される多角形部分（従来は長方形のマスであることが多い。）にはめ込むため、従来の障子枠をそのまま使用することもでき、敷居や鴨居の建て付けを変えることなくそのまま利用可能でもある。
【０００９】
平行とは、短冊体の長手が平行であることを意味する。短冊体の面の方向は揃っていてもよいが、必ずしも揃っている必要ななく、たとえば、少しずつ角度を変え波打つような配置でもよい。また、連続する５個ずつが組になって平行であり、組毎に配向を変えるような様相としてもよい。
四角形は、障子では一般的に長方形であるが、本願においてはデザイン性を高めた障子であるため、組子の間隔も縦と横とで変わっていてもよいし、仕様の態様によっては、斜めの組子があり、不定型な四角形のマスが形成されることを妨げない。マスの形は三角形や五角形でもよい。
また、総てのマスに中空ボードをはめ込み、障子紙が貼られていない態様も許されるものとする。
中空ボードの厚みは適宜設定できるが、例えば、５ｍｍとすることができる。
【００１０】
請求項２に記載のデザイン障子は、請求項１に記載のデザイン障子において、組子には溝が切ってあり、この溝に中空ボードをはめて固定することを特徴とする。
【００１１】
すなわち、請求項２にかかる考案は、作業性よく中空ボードを取りつけることが可能となる。ひいては、季節や気分に応じて中空ボードを簡便に交換することが可能となる。仕様の態様によっては、中空ボードをスライドさせてはめ込むこともできる。
【００１２】
なお、別途接着剤等により固着させてもよい。
【００１３】
請求項３に記載のデザイン障子は、請求項１または２に記載のデザイン障子において、中空ボードをはめる領域により、円形、多角形その他の図形、市松模様その他の幾何学模様、文字、または、記号が形成されることを特徴とする。
【００１４】
すなわち、請求項３にかかる考案は、中空ボード部分と障子紙部分とで模様等を表出させることができる。
【００１５】
請求項４に記載のデザイン障子は、請求項１、２または３に記載のデザイン障子において、中空ボードをはめる場所により、短冊体長手方向の向きを変えたことを特徴とする。
【００１６】
すなわち、請求項４にかかる考案は、中空ボード自体の配向によっても、模様等を表出させることができる。
【００１７】
請求項５に記載のデザイン障子は、請求項１〜４のいずれか一つに記載の減光断熱障子において、パネル体は無色透明ないし有色透明であり、短冊体は白色ないし有色であることを特徴とする。
【００１８】
すなわち、請求項５に係る考案は、質感高く、障子紙とも調和し、洋風家屋に採用しても違和感のない障子を提供できる。
【００１９】
なお、すこしずつ色をかえた短冊体を用いることにより、一枚の中空ボードのなかでグラデーションのかかった配色とすることもできる。
【００２０】
請求項６に記載のデザイン障子は、請求項１〜５のいずれか一つに記載の減光遮熱障子において、合成樹脂はポリカーボネート樹脂、アクリル樹脂、ポリエチレン、ポリプロピレン、ポリ塩化ビニル、または、ポリエステルであることを特徴とする。
【００２１】
すなわち、請求項６にかかる考案は、質感も高く、難燃もしくは傷つきにくい障子を提供することが可能となる。
【００２２】
また、これらの原料に、紫外線をカットする添加剤を添加してもよいし、別途パネル部分に赤外線カットフィルムを打擲するようにしてもよい。
【考案の効果】
【００２３】
本考案によれば、和洋どちらの室内空間にもなじみ、太陽光の直接侵入を緩和し、断熱性も向上させうる、デザイン性の高い障子を提供することが可能となる。
【図面の簡単な説明】
【００２４】
【図１】本考案のデザイン障子の表面を示した説明図である。
【図２】本考案のデザイン障子の裏面を示した説明図である。
【図３】本考案のデザイン障子の断面斜視図（部分）である。
【図４】本考案のデザイン障子の中空ボードの他の配置例を示した説明図である。
【考案を実施するための形態】
【００２５】
以下、本考案の実施の形態を図面を参照しながら詳細に説明する。
図１および図２は、本考案のデザイン障子の表面および裏面を示した説明図である。図３は、本考案のデザイン障子の組子近傍の断面斜視図である。以降では、本考案のデザイン障子を単に障子と適宜称することとする。なお、説明の便宜上各構成の比率や縮尺は考案の理解に資するべく必要に応じて異ならせて描画している。
【００２６】
障子１は、枠体１０と、障子紙２０と、中空ボード３０と、により構成される。
枠体１０は、上桟１１と、下桟１２と、左右の竪桟１３と、中桟１４と、腰板１５と、組子１６と、により構成される。これらは総て天然木によるものである。
【００２７】
上桟１１と下桟１２と左右の竪桟１３とで障子枠が形成され、中桟１４から上は組子１６の片面に障子紙２０が貼られ、部分的に、長方形の中空ボード３０がはめ込まれている。中空ボード３０がはめ込まれる部分に障子紙は貼られない（切り取られている）。中桟１４から下は腰板１５があることにより、障子１は中空ボードがはめ込まれつつ、障子らしさを保持した構成となっている。
【００２８】
ただし、腰板１５は必ずしも必要ではない。また、組子１６は、縦の竪子と横の横子により構成され、これにより、障子として最も一般的な長方形のマス（マス目）が形成されるが、仕様の態様により横子のみの構成としてもよい。また、より自由度を高めて、竪子の間隔や、横子の間隔が異なっていてもよい。さらには、斜めの組子も設け、マスの形状は同一の長方形とせず、多角形となるようにしてもよい。いわゆる麻模様や亀甲模様等の幾何組子により構成されていても良いものとする。
【００２９】
障子１の大きさは、一般的な日本家屋の設計に基づくが、敷居と鴨居との高さ間隔および幅間隔に応じて設計すればよい。
【００３０】
なお、一般的に、上桟１１と下桟１２と左右の竪桟１３、そして中桟１４は、ほぼ同じ厚み（障子紙２０に垂直方向の幅）であり（３０ｍｍ〜４０ｍｍ程度）、一方、組子１６は当該厚みより薄い（１５ｍｍ〜２５ｍｍ程度）。そして、裏面すなわち障子紙２０を貼着する側は面一となっている。中空ボード３０は、障子紙２０側へはみ出さないように、組子の厚み内ではめ込む（障子紙２０と面一になるようにはめ込んでもよい。これにより、障子１を既存の敷居や鴨居にそのままはめ込み使用することができる。
【００３１】
障子紙２０は、特に限定されず、均質な和紙や、雲竜、このほか、プリント障子紙などを採用することができる。障子紙２０は、枠体１０の裏面に、上桟１１、中桟１４、左右の竪桟１３に若干かかるようにしてのり付けされる（組子１６に対してものり付けされる）。
【００３２】
次に、中空ボード３０について説明する。
中空ボード３０は、二枚の透明のパネル３１と、パネル３１を離間させるとともに間に介在する多数の白色透明の短冊状のスラット３２と、からなりこれらはポリカーボネート製で一体成形されてなる。本実施の形態では、スラット３２は、長手が互いに平行であってパネル３１に対して傾いている。この傾きにより、直射日光の差し込みが抑制され、かつ、適当な光量の取り込みが可能となる。
【００３３】
大きさは一例として、パネル３１間隔６ｍｍ、パネル３１およびスラット３２の厚み０．７ｍｍ、傾斜角度約２７°（スラット間隔約８ｍｍ）とすることができる。
【００３４】
中空ボード３０は、組子１６によって囲まれる長方形（場合により３角形や５角形以上の多角形）と同形に切り取られ、これにはめ込まれる。本実施の形態においては、はめ込みに際し、スラット３２の長手が水平方向となるようにするものと、垂直方向となるようにするものとで、中空ボード３０自体によって独特の意匠を創出している（図１，２では、説明の便宜上スラット３２の長手を示すものとして直線を描画し、スラットの幅を省略している）。
【００３５】
なお、組子１６には、中空ボード３０の厚みと同じ溝が切ってあり、中空ボード３０の位置決めないしはめ込みが楽になるようにしている（図３）。また、副次的に、機密性も高まり、断熱効果を発揮する。なお、図３では、組子１６と中空ボード３０とのはめ込み関係を模式的に示した部分描画である。
【００３６】
障子１は以上の構成であるので、次の作用効果を奏する。
・中空ボードの白色透明部分で減光するので夏場などの直射日光の進入を軽減する。
・中空ボードは白色透明な部分はもとより無色透明部分もポリカーボネート製であるので、赤外光や紫外光のカット作用があり、素材的な遮熱効果を奏する。
・白色透明部分が斜めとなっているので、光を反射し、構造的な遮熱効果を奏する。
・中空ボード自体がその構造に基づき断熱効果を有する。夏場の室内冷房、冬場の室内暖房の効果を維持しやすい。
・スラットと組子の組み合わせにより、室内が和風よりであっても洋風よりであっても、また、室外が和風よりであっても洋風よりであっても、違和感ない障子が演出できる。
【００３７】
なお、障子の態様は上記の例に限定されない。図４は、障子の他の例を示した説明図である。図４ａは、中空ボードのスラットの傾きが規則的に変化した例の断面を、図４ｂは、中空ボードのスラットが所定角度ずつ変化した断面を、図４ｃは、スラットは単色であるが、その濃さが隣り合うもの同士で少しずつ異なった例を（図では濃淡のみ模式的に示している）、図４ｄは、組子の間隔（ピッチ）が異なった例を、図５ｄは、斜めの組子が含まれ、中空ボードが３角形や５角形である例をそれぞれ示している。このほか、円形、多角形その他の図形、市松模様その他の幾何学模様が表出するように、中空ボードをマスにあてがってもよい。文字、または、記号が形成される様にしてもよい。
【００３８】
このほか、仕様の態様により、スラット部分も無色透明にしても良いし、白色以外の有色透明とすることもできる。また、スラット部分もしくは全体を有色不透明としてもよい。
【００３９】
また中空ボードは、ポリカーボネートでなく、アクリル樹脂、ポリエチレン、ポリプロピレン、ポリ塩化ビニル、または、ポリエステル製としてもよい。適宜助剤を混和することにより、赤外線領域の遮光性を高めるようにしてもよい。また、紫外線カットフィルムを貼着してもよい。
【産業上の利用可能性】
【００４０】
本考案によれば、和洋どちらの室内空間にもなじみ、太陽光の直接侵入を緩和し、断熱性も向上させうる、デザイン性の高い障子を提供することができる。
【符号の説明】
【００４１】
１        デザイン障子
１０     枠体
１１     上桟
１２     下桟
１３     竪桟
１４     中桟
１５     腰板
１６     組子
２０     障子紙
３０     中空ボード
３１     パネル
３２     スラット
【図１】
0003223848.tif 000003
【図２】
0003223848.tif 000004
【図３】
0003223848.tif 000005
【図４】
0003223848.tif 000006